【手続補正書】
【提出日】平成28年8月22日(2016.8.22)
【手続補正１】
【補正対象書類名】特許請求の範囲
【補正対象項目名】全文
【補正方法】変更
【補正の内容】
【特許請求の範囲】
【請求項１】
第２の装置における第２のコンテンツ・ストリームのレンダリングのタイミングを制御する方法であって、前記第２のコンテンツ・ストリームがチャンクの形態に構成されており、各々の前記チャンクが前記第２のコンテンツ・ストリームの個別にアクセス可能なパートに対応しており、各々の前記チャンクがデータ・パケットを含み、前記方法が、
ａ）制御装置によって、前記第２の装置から前記第２のコンテンツ・ストリームのチャンクの要求を受信するステップと、
ｂ）前記制御装置によって、前記要求されたチャンクのパケットを受信するステップと、
ｃ）前記制御装置によって、前記第２の装置による前記第２のコンテンツ・ストリームのレンダリングが、第１の装置による第１のコンテンツ・ストリームのレンダリングに同期化されるように、前記要求されたチャンクが前記第２の装置に配信されるべき配信時点で前記要求されたチャンクを前記第２の装置に配信するステップであって、前記配信時点が、前記第１の装置でレンダリングされる前記第１のコンテンツ・ストリームの再生位置に基づき決定される前記第２のコンテンツ・ストリーム内の前記要求されたチャンクの位置に関連づけられる、該ステップと、
を備えた、前記方法。
【請求項２】
前記配信するステップが適応ストリーミング・プロトコルを使用する、請求項１に記載の方法。
【請求項３】
ｄ）前記制御装置によって、前記要求されたチャンクの最後のパケットを除く前記要求されたチャンクの前記パケットを前記第２の装置に送信するステップと、
ｅ）前記制御装置によって、前記要求されたチャンクの前記最後のパケットをバッファリングするステップと、
を更に備え、ｃ）の前記配信するステップが、前記配信時点で、前記要求されたチャンクの前記最後のパケットを前記第２の装置に配信することを含む、請求項１又は２に記載の方法。
【請求項４】
前記第２の装置よる前記要求されたチャンクの処理に必要な時間を特定するステップを備えた、請求項１から３のうちの１つの請求項に記載の方法。
【請求項５】
ｃ）のステップにおいて、前記要求されたチャンクを前記配信時点で配信できない場合、当該方法は、
ｆ）前記要求されたチャンクを破棄するステップと、
ｇ）前記第２のコンテンツ・ストリーム内の前記要求されたチャンクの次のチャンクについて、ｂ）からｃ）のステップを繰り返すステップと、
を更に備えた、請求項１から４のうちの１つの請求項に記載の方法。
【請求項６】
前記要求はコンテンツ・サーバに向けられており、
チャンクの前記要求が受信されると、前記制御装置は、前記配信時点にレンダリングされる当該チャンクに対応する第２のチャンクに対する第２の要求を前記サーバへ送信する、
請求項１から５のうちの１つの請求項に記載の方法。
【請求項７】
第２の装置による第２のコンテンツ・ストリームのレンダリングが、第１の装置による第１のコンテンツ・ストリームのレンダリングに同期化されるように前記第２の装置における前記第２のコンテンツ・ストリームのレンダリングのタイミングを制御する制御装置であって、
ａ）前記第２の装置から前記第２のコンテンツ・ストリームのチャンクの要求を受信し、
ｂ）前記要求されたチャンクのパケットを受信し、
ｃ）前記要求されたチャンクが前記第２の装置に配信されるべき配信時点で、前記要求されたチャンクを前記第２の装置に配信する
よう構成され、前記配信時点が、前記第１の装置でレンダリングされる前記第１のコンテンツ・ストリームの再生位置に基づき決定される前記第２のコンテンツ・ストリーム内の前記要求されたチャンクの位置に関連づけられる、制御装置。
【請求項８】
前記制御装置は、ホーム・ゲートウェイ又はセットトップ・ボックスである、
請求項７に記載の制御装置。
【請求項９】
前記要求はコンテンツ・サーバに向けられており、
チャンクの前記要求が受信されると、前記制御装置は、前記配信時点にレンダリングされる当該チャンクに対応する第２のチャンクに対する第２の要求を前記サーバへ送信する、
請求項７に記載の制御装置。
【請求項１０】
コンピュータが請求項１から６のうちの１つの請求項に記載の方法を実施できるようにするコンピュータ実行可能命令を備えたコンピュータ読み取り可能プログラム。
【手続補正２】
【補正対象書類名】明細書
【補正対象項目名】００８８
【補正方法】変更
【補正の内容】
【００８８】
プロキシ装置は、自己が担当する端末の要求を分析することによって、自己が現在管理しているストリームを識別できる。今、第１の端末が、ウェブ・サーバからＨＴＴＰ適応ストリーミング・モードで配信される第１のストリームを消費していると考えてみよう。第２の端末が同一イベントの第２のストリームを要求すると、プロキシ・サーバは、第１の端末に現在配信されているチャンクのタイミング位置を検査する。プロキシ・サーバは、第１の端末内で使用されているプレーヤ・タイプを知ることによって、この第１の端末で現在レンダリングされているコンテンツの時間位置を特定できる。したがって、本発明の方法を適用して第２の端末にオーディオ／ビデオ・コンテンツを配信することによって、両端末に表示されるコンテンツが同期化されることが保証される。同じ同期化メカニズムが３台以上の端末にも適用できることは明らかである。  
上記の実施形態に加えて、以下の付記を開示する。
（付記１）
第２の装置（６）における第２のコンテンツ・ストリームのレンダリングのタイミングを制御する方法であって、前記第２のコンテンツ・ストリームがチャンクの形態に構成されており、各々の前記チャンクが前記第２のコンテンツ・ストリームの個別にアクセス可能なパートに対応しており、各々の前記チャンクがデータ・パケットを含み、前記方法が、制御装置（１２）によって実行されるステップであって、
ａ）前記第２の装置（６）から前記第２のコンテンツ・ストリームのチャンクの要求を受信するステップ（４２）と、
ｂ）第１の装置（４）においてレンダリングされている第１のコンテンツ・ストリームの再生位置に基づいて前記第２のコンテンツ・ストリーム内の前記要求されたチャンクの第２の位置を特定するステップ（４４）と、
ｃ）サーバ（１８）から前記要求されたチャンクのパケットを受信するステップ（４８）と、
ｄ）前記第２の装置（６）による前記第２のコンテンツ・ストリームのレンダリングが、前記第１の装置（４）による前記第１のコンテンツ・ストリームのレンダリングに同期化されるように前記要求されたチャンクが前記第２の装置（６）に配信されるべき配信時点（ＴｏＤ）で、前記要求されたチャンクを前記第２の装置（６）に配信するステップであって、前記配信時点（ＴｏＤ）が前記第２の位置に関連づけられる、該ステップと、
を備えた、前記方法。
（付記２）
前記配信するステップが適応ストリーミング・プロトコルを使用する、付記１に記載の方法。
（付記３）
前記制御装置（１２）によって実行されるステップであって、
ｅ）前記要求されたチャンクの最後のパケットを除く前記要求されたチャンクの前記パケットを前記第２の装置（６）に送信するステップ（４８）と、
ｆ）前記要求されたチャンクの前記最後のパケットをバッファリングするステップ（５０）と、
を更に備え、ｄ）の前記配信するステップが、前記配信時点（ＴｏＤ）で、前記要求されたチャンクの前記最後のパケットを前記第２の装置（６）に配信すること（５２）を含む、付記１又は２に記載の方法。
（付記４）
前記第２の装置（６）による前記要求されたチャンクの処理に必要な時間（ＰＴ）を特定する更なるステップを備えた、付記１から３のうちの１つの付記に記載の方法。
（付記５）
ｄ）のステップにおいて、前記要求されたチャンクを前記配信時点（ＴｏＤ）で配信できない場合、
ｇ）前記要求されたチャンクを破棄するステップと、
ｈ）前記第２のコンテンツ・ストリーム内の前記要求されたチャンクの次のチャンクについて、ｂ）からｄ）のステップを繰り返すステップと、
を更に備えた、付記１から４のうちの１つの付記に記載の方法。
（付記６）
前記第１のコンテンツ・ストリームと前記第２のコンテンツ・ストリームが同一のコンテンツを搬送する、付記１から５のうちの１つの付記に記載の方法。
（付記７）
第２の装置（６）による第２のコンテンツ・ストリームのレンダリングが、第１の装置（４）による第１のコンテンツ・ストリームのレンダリングに同期化されるように前記第２の装置（６）における前記第２のコンテンツ・ストリームのレンダリングのタイミングを制御する制御装置（１２）であって、付記１から６のうちの１つの付記のステップを実行するように構成された制御装置。
（付記８）
前記制御装置（１２）は、ホーム・ゲートウェイ又はセットトップ・ボックスである、
付記７に記載の制御装置。
（付記９）
前記制御装置（１２）は、プロキシ・サーバである、付記７に記載の制御装置。
（付記１０）
コンピュータが付記１から６のうちの１つの付記に記載の方法を実施できるようにするコンピュータ実行可能命令を備えたコンピュータ読み取り可能プログラム。